(57)【要約】【課題】 双軸折り畳み式ランプ構造を提供する。【解決手段】  サポートユニット、第一照明ユニット、第二照明ユニットを含む。該サポートユニットは第一表面及び第二表面を備え、該第一照明ユニットは第一ピボットにより該第一表面上に結合され、該第二照明ユニットは第二ピボットにより該第二表面上に結合される。該第一照明ユニット及び該第二照明ユニットにより両軸向きの照明を同時に提供し、照明範囲を拡大することができる。しかも該第一ピボット及び該第二ピボットの設置により、該第一照明ユニット及び該第二照明ユニットは折り畳まれ收納に便利である。【選択図】  図２
0003140615.tif 000002
【実用新案登録請求の範囲】
【請求項１】
双軸折り畳み式ランプ構造はサポートユニット、第一照明ユニット、第二照明ユニットを含み、
該サポートユニットは柱体で、第一表面及び第二表面を備え、
該第一照明ユニットは該第一ピボットにより該第一表面に結合し、
該第二照明ユニットは該第二ピボットにより該第二表面に結合することを特徴とする双軸折り畳み式ランプ構造。
【請求項２】
前記サポートユニットは長型柱体であることを特徴とする請求項１に記載の双軸折り畳み式ランプ構造。
【請求項３】
前記サポートユニットはU型柱体であることを特徴とする請求項１に記載の双軸折り畳み式ランプ構造。
【請求項４】
前記第一表面の両側には一対の第一翼板を形成することを特徴とする請求項１に記載の双軸折り畳み式ランプ構造。
【請求項５】
前記第二表面の両側には一対の第二翼板を形成することを特徴とする請求項１に記載の双軸折り畳み式ランプ構造。
【請求項６】
前記サポートユニットの第一端部にはさらにC型クランプを結合することを特徴とする請求項１に記載の双軸折り畳み式ランプ構造。
【請求項７】
前記第一照明ユニットは発光ダイオード照明ユニットであることを特徴とする請求項１に記載の双軸折り畳み式ランプ構造。
【請求項８】
前記第二照明ユニットは発光ダイオード照明ユニットであることを特徴とする請求項１に記載の双軸折り畳み式ランプ構造。
【請求項９】
前記第一ピボットはダンパーピボットであることを特徴とする請求項１記載の双軸折り畳み式ランプ構造。
【請求項１０】
前記第二ピボットはダンパーピボットであることを特徴とする請求項１記載の双軸折り畳み式ランプ構造。
【考案の詳細な説明】
【技術分野】
【０００１】
本考案は双軸折り畳み式ランプ構造に関する。特に両軸向きの照明を同時に提供でき、折り畳み可能な双軸折り畳み式ランプ構造に係る。
【背景技術】
【０００２】
各種室内外でのレジャー活動において、ブリッジ或いは麻雀は多くの人に好まれている。ブリッジ或いは麻雀は通常は室内で行われ、しかも使用者は各自四角いテーブルの一辺を占める。一般的にブリッジ或いは麻雀で使用する照明設備の多くは室内の天井灯であるが、天井灯はテーブル面からの距離が遠いため、十分な明るさを提供することができない。よって、カンチレバーフロアランプを使用し、光源をテーブル面にできるだけ近付け、照明効果を高める方法も採用される。
図１は公知のカンチレバーフロアランプ10の応用指示図である。図１に示すように、カンチレバーフロアランプ10はフォーク状ベース11、カンチレバー12、ランプシェード13を含む。
該フォーク状ベース11は該カンチレバー12と相互に結合し、しかも該フォーク状ベース11はテーブル20の脚を挟持する。こうして公知のカンチレバーフロアランプ10の位置を固定し、該カンチレバー12の反対端にはさらにランプシェード13を結合し、該ランプシェード13は照明光源を結合する。
公知のカンチレバーフロアランプ10を麻雀卓20に応用する時には、公知のカンチレバーフロアランプ10の照明光源は麻雀卓20テーブル面上方中央位置に調整され、しかも該麻雀牌30はテーブルの縁において一列に排列されるため、照明光源がテーブル面上方中央からテーブル面へと投射される時、麻雀牌30の背面は影となる。よって、ゲームの時間が長くなると、使用者は麻雀牌30の図案を正確に判読できなくなるという問題があり、しかも使用者の目に悪影響を及ぼす。
また、公知のカンチレバーフロアランプ10に使用される照明光源は、多くがタングステンランプ或いは節電ランプ(Compact Fluorescent Lamp, CFL)であるが、タングステンランプの使用寿命は比較的短く、しかも発する光線温度も比較的高い。使用者が夏季にタングステンランプを使用する時には、夏季の暑さに耐えながら、タングステンランプが発する熱にも耐えなければならない。一方、節電ランプを使用するなら、十分な光線を提供することができない可能性がある。この他、公知のカンチレバーフロアランプ10が使用する照明光源の多くは紫外線を発するため、長時間使用すると人体に傷害を及ぼす可能性がある。
【特許文献１】特開２０００−２８５３７号公報
【考案の開示】
【考案が解決しようとする課題】
【０００３】
本考案が解決しようとする課題は、第一照明ユニット及び第二照明ユニットをそれぞれサポートユニットの第一表面及び第二表面上に結合し、異なる両軸向きの照明を同時に提供し、照明範囲を拡大する機能と効果を達成し、しかも該第一ピボット及び該第二ピボットの設置により該第一照明ユニット及び該第二照明ユニットは折り畳み可能となり、收納に便利となる双軸折り畳み式ランプ構造を提供することである。
【課題を解決するための手段】
【０００４】
上記課題を解決するため、本考案は下記の双軸折り畳み式ランプ構造を提供する。
サポートユニット、第一照明ユニット、第二照明ユニットを含み、
該サポートユニットは柱体で、第一表面及び第二表面を備え、
該第一照明ユニットは第一ピボットにより該第一表面に結合され、
該第二照明ユニットは第二ピボットにより該第二表面に結合され、
上記の双軸折り畳み式ランプ構造の該サポートユニットは長型柱体或いはU型柱体で、該第一表面の両側には一対の第一翼板を形成し、該第二表面の両側には一対の第二翼板を形成し、該サポートユニットの第一端部にはさらにC型クランプを結合し、
上記の双軸折り畳み式ランプ構造の該第一照明ユニットは発光ダイオード照明ユニットで、該第二照明ユニットは発光ダイオード照明ユニットで、該第一ピボットはダンパーピボットで、該第二ピボットはダンパーピボットである。
【考案の効果】
【０００５】
上記のように、本考案の実施により、両軸向きの照明を同時に提供し、照明範囲を拡大することができ、第一照明ユニット及び第二照明ユニットを折り畳むことができるため、收納に便利である。また本考案は発光ダイオード照明ユニットを使用するため、照明ユニットの使用寿命を延長することができ、しかも紫外線の発生を減少させることができる。
【考案を実施するための最良の形態】
【０００６】
関連技術の習熟者が本考案の技術内容を理解し、それに基づき実施することができるよう、しかも本説明書に掲示する内容、実用新案申請範囲及び図式に基づき、関連技術の習熟者が簡単に本考案関連の目的及び長所を理解できるよう、以下の実施方式中において本考案の特徴及び長所について詳述する。
図２は本考案の双軸折り畳み式ランプ構造40の立体実施例図一である。図３は本考案の双軸折り畳み式ランプ構造40の折り畳み収納実施例図である。図４は本考案の双軸折り畳み式ランプ構造40’の立体実施例図二である。図５は本考案の双軸折り畳み式ランプ構造40”の立体実施例図三である。図６は本考案サポートユニット41の図５中A-A断面線に沿った断面実施例図である。図７は本考案双軸折り畳み式ランプ構造40”’の立体実施例図四である。図８は本考案サポートユニット41’の図７中B-B断面線に沿った断面実施例図である。図９は本考案双軸折り畳み式ランプ構造40の応用実施例図である。
【０００７】
図２に示すように、本実施例双軸折り畳み式ランプ構造40はサポートユニット41、第一照明ユニット42、第二照明ユニット43を含む。
図２及び図４に示すように、該サポートユニット41、41’は長型柱体(図２参照)或いはU型柱体(図４参照)である。該サポートユニット41、41’は空心柱体で、しかも該第一照明ユニット42及び該第二照明ユニット43の制御回路は該空心柱体中に収納される。図２に示すように、該サポートユニット41は第一表面411及び第二表面412を備え、それぞれ該第一照明ユニット42及び該第二照明ユニット43と結合する。これにより２個の異なる軸向きの照明を提供し、照明範囲を拡大することができる。
図２に示すように、該サポートユニット41は長型柱体で、該第一照明ユニット42は該第一ピボット44により該サポートユニット41の第一表面411上に結合され、該第二照明ユニット43は該第二ピボット45により該サポートユニット41の第二表面412上に結合される。内、該第一ピボット44及び該第二ピボット45は共にダンパーピボットである。該第一照明ユニット42は該第一ピボット44を中心とし回転し、しかも図３に示すように、該第一照明ユニット42は回転し折り畳まれる。同様に、該第二照明ユニット43も該第二ピボット45を中心とし回転し、折り畳まれ、收納に便利となる。
【０００８】
該第一照明ユニット42及び該第二照明ユニット43は共に発光ダイオード照明ユニットで、内、発光ダイオード照明ユニットは白色発光ダイオード、或いは赤色発光ダイオード、緑色発光ダイオード及び青色発光ダイオードの組合せにより構成する。また或いはその他適用可能な発光ダイオードで、使用者は発光ダイオード照明ユニットが発生する光線の色温を自身で調整することができる。例えば、赤色発光ダイオード、緑色発光ダイオード及び青色発光ダイオードの発光強度を調整し、使用者にとって最も快適な色温とすることができる。
この他、発光ダイオード照明ユニットを第一照明ユニット42及び第二照明ユニット43とすることで、エネルギー節減の効果を達成可能である他に、紫外線が発生し人体に害を及ぼすことを防止可能である。さらに、発光ダイオード照明ユニットは一種の冷光源であるため、それが発する光線は熱を持たない。よって夏季に発光ダイオード照明ユニットを使用しても、使用者が暑さを感じ不快になることはない。
【０００９】
図６に示すように、該サポートユニット41の該第一表面411の両側には一対の第一翼板413を形成することができ、しかも該第二表面412の両側にも一対の第二翼板414を形成することができる。或いは該第一表面411にのみ、或いは該第二表面412の両側に第一翼板413或いは第二翼板414を形成することもできる。この他、図８に示すように、該サポートユニット41’の第一表面411の両側に第一翼板413を形成することができる。
【００１０】
図５に示すように、該第一照明ユニット42が該第一ピボット44により回転する時、該第一照明ユニット42を該第一表面411と該第一翼板413が形成する空間に閉じ合わせ、しかも該第一翼板413は該第一照明ユニット42を保護し、衝突による損壊を防止する。同様に、該第二照明ユニット43も該第二表面412と該第二翼板414が形成する空間中に閉じ合わされ、しかも該第二翼板414も該第二照明ユニット43を衝突による損壊から保護することができる。
【００１１】
図８に示すように、該サポートユニット41’はU型柱体である。図７に示すように、該第一照明ユニット42は該第一ピボット44により該サポートユニット41’の第一表面411上に結合され、該第二照明ユニット43は該第二ピボット45により該サポートユニット41’の第二表面412上に結合される。しかも該第二照明ユニット43は回転し、該U型柱体が形成する空間中に閉じ合わされ、また該第一表面411の両側には一対の第一翼板413を形成する。該第一照明ユニット42が回転し、該第一表面411及び該第一翼板413が形成する空間に閉じ合わされる時、該第一翼板413により該第一照明ユニット42を保護することができる。
【００１２】
本実施例の双軸折り畳み式ランプ構造40のサポートユニット41は直接地面上に置くことができ(図示なし)、或いはさらにベース或いはフォーク状ベース(図示なし)と結合し、該ランプ構造40を地面上に置いた時の安定性を増大させることができる。図９に示すように、さらに使用の便を図るため、該サポートユニット41の第一端部、つまり該サポートユニット41の底部にはさらにC型クランプ46を結合し、該C型クランプ46を利用し、該双軸折り畳み式ランプ構造40を直接テーブルの角に固定することがでる。
【００１３】
図９に示すように、四角いテーブルの２個の対角に共に本実施例の双軸折り畳み式ランプ構造40を設置すれば、四角いテーブルのすべての辺に同時に良好な光線照明を提供することができ、しかも使用を終了すると、該第一照明ユニット42及び該第二照明ユニット43を閉じ合わせ、收納の便を図ることができる。
上記各実施例は本考案の特徴を説明するために用いたまでで、その目的は該技術の習熟者が本考案の内容を理解し実施可能とするためで、本考案の実用新案範囲を限定するものではない。よってその他、本考案が掲示する精神を離脱せずに完成される同等効果の修飾或いは修正もすべて実用新案申請範囲中に含まれるものとする。
【図面の簡単な説明】
【００１４】
【図１】公知のカンチレバーフロアランプの応用指示図である。
【図２】本考案の双軸折り畳み式ランプ構造の立体実施例図一である。
【図３】本考案の双軸折り畳み式ランプ構造の折り畳み収納実施例図である。
【図４】本考案の双軸折り畳み式ランプ構造の立体実施例図二である。
【図５】本考案の双軸折り畳み式ランプ構造の立体実施例図三である。
【図６】本考案サポートユニットの図５中A-A断面線に沿った断面実施例図である。
【図７】本考案の双軸折り畳み式ランプ構造の立体実施例図四である。
【図８】本考案サポートユニットの図７中A-A断面線に沿った断面実施例図である。
【図９】本考案の双軸折り畳み式ランプ構造の応用実施例図である。
【符号の説明】
【００１５】
10 公知のカンチレバーフロアランプ
11 フォーク状ベース
12 カンチレバー
13 ランプシェード
20 麻雀卓
30 麻雀牌
40、40’、40”、40”’  双軸折り畳み式ランプ構造
41、41’ サポートユニット
411 第一表面
412 第二表面
413 第一翼板
414 第二翼板
42 第一照明ユニット
43 第二照明ユニット
44 第一ピボット
45 第二ピボット
46 C型クランプ
【図１】
0003140615.tif 000003
【図２】
0003140615.tif 000004
【図３】
0003140615.tif 000005
【図４】
0003140615.tif 000006
【図５】
0003140615.tif 000007
【図６】
0003140615.tif 000008
【図７】
0003140615.tif 000009
【図８】
0003140615.tif 000010
【図９】
0003140615.tif 000011